【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
無線通信システムにおいて取得信号を送信するための方法であって、
取得信号のための複数のシンボルを生成すること、
第１の帯域幅に対応する第１のセットのキャリアで前記取得信号を送信すること、
第２の帯域幅に対応する第２のセットのキャリアの各々においてパイロットを送信することを備え、前記第１の帯域幅は、前記第２の帯域幅よりも小さく、前記第１および第２のセットのキャリアにおける前記キャリアの各々は、等しい帯域幅であり、
前記第２の帯域幅は、前記無線通信システムにおける実質的に全ての使用可能な帯域幅を備える、方法。
【請求項２】
前記第２のセットのキャリアは、少なくとも前記第１のセットのキャリアを含み、前記第２の帯域幅は、前記無線通信システムにおける使用可能な帯域幅に対応し、少なくとも前記第１の帯域幅を含む、請求項１の方法。
【請求項３】
前記第２の帯域幅は、前記無線通信システムのセクタにおける実質的に全ての使用可能な帯域幅を備える、請求項１の方法。
【請求項４】
前記第１および前記第２のセットのキャリアにおける前記キャリアの各々は、５ＭＨｚ、または２．５ＭＨｚ、または１．２５ＭＨｚの帯域幅を備える、請求項１の方法。
【請求項５】
前記第１および第２のセットのキャリアで通信をサポートするための制御情報を交換することをさらに備え、前記第１および第２のセットのキャリアの各キャリアで通信をサポートするための制御情報は、前記各キャリアを介して、または指定されたキャリアを介して交換される、請求項１の方法。
【請求項６】
前記パイロットおよび前記取得信号は、前記パイロットおよび前記取得信号が両方送信される各キャリアにおける異なるセットのサブキャリアで送信される、請求項１の方法。
【請求項７】
前記第２のセットのキャリアは、７つの利用されるキャリア及び１つの利用されないキャリアを含み、前記第１のセットのキャリアは、前記７つの利用されるキャリアに対する予め定められた周波数再使用プランに従う前記７つの利用されるキャリアのサブセットである、請求項１の方法。
【請求項８】
前記第２のセットのキャリアは７つのキャリアを含み、前記第１のセットのキャリアは、前記７つのキャリアに対する予め定められた周波数再使用プランに従う前記７つのキャリアのサブセットである、請求項１の方法。
【請求項９】
前記取得信号は、少なくとも１つの放送チャンネルに関する情報を含む、請求項１の方法。
【請求項１０】
前記取得信号を送信することは、ホップ・シーケンスに少なくとも部分的に基づいて、１つの又はそれより多いサブキャリアで前記取得信号を送信することを含む、請求項１の方法。
【請求項１１】
前記取得信号を送信することは、前記第１のセットのキャリアで前記取得信号をアクセス端末に送信することを備える、請求項１の方法。
【請求項１２】
前記取得信号を送信することは、スーパーフレームのプリアンブルにおいて前記取得信号を送信することを含む、請求項１の方法。
【請求項１３】
前記第２のセットのキャリア間の１つの又はそれより多いキャリアでアクセス端末をスケジュールすること、
前記１つの又はそれより多いキャリアを用いて前記アクセス端末と通信することを更に備える、請求項１の方法。
【請求項１４】
１つの又はそれより多いキャリアで前記アクセス端末をスケジュールすることは、
前記アクセス端末からアクセス要求を受信すること、
前記アクセス要求に少なくとも部分的に基づいて、前記１つの又はそれより多いキャリアで前記アクセス端末をスケジュールすること、
前記１つの又はそれより多いキャリアに対する割当てを前記アクセス端末に送信することを含む、請求項１３の方法。
【請求項１５】
前記アクセス端末から受信される前記アクセス要求は、前記アクセス端末が１つより多いキャリアで通信できるかどうかの表示を含む、請求項１４の方法。
【請求項１６】
前記１つの又はそれより多いキャリアで前記アクセス端末をスケジュールすることは、前記表示が負であれば１つのキャリアで前記アクセス端末をスケジュールし、前記表示が正であれば少なくとも２つのキャリアで前記アクセス端末をスケジュールすることを含む、請求項１５の方法。
【請求項１７】
第３のセットのキャリアで前記アクセス端末をスケジュールすること、
前記第３のセットのキャリアに対する割当てを含むチェンジ・キャリア・メッセージを前記アクセス端末に送信すること、
前記第３のセットのキャリアを用いて前記アクセス端末と通信することを更に備える、請求項１４の方法。
【請求項１８】
無線通信装置であって、
通信のために使用可能な複数のキャリアおよび取得信号に関するデータを記憶するメモリと、
下りリンクにおける第１の帯域幅に対応する第１のセットのキャリアで前記取得信号を送信し、第２の帯域幅に対応する第２のセットのキャリアの各々においてパイロットを送信するように構成されたプロセッサとを備え、
前記第１の帯域幅は、前記第２の帯域幅よりも小さく、前記第１および第２のセットのキャリアにおける前記キャリアの各々は、等しい帯域幅であり、
前記第２の帯域幅は、前記複数のキャリアを使用する通信のために前記無線通信装置に使用可能な実質的に全ての帯域幅を備える、無線通信装置。
【請求項１９】
前記メモリは、識別コードに関するデータを更に記憶し、前記プロセッサは、前記識別コードの関数に少なくとも部分的に基づいて前記取得信号を送信するように更に構成される、請求項１８の無線通信装置。
【請求項２０】
前記識別コードは擬似雑音（ＰＮ）シーケンスである、請求項１９の無線通信装置。
【請求項２１】
前記識別コードは、ウオルシュ・シーケンスである、請求項１９の無線通信装置。
【請求項２２】
無線通信ネットワークにおいて取得信号を送信するための装置であって、
通信のために使用可能な複数のキャリアを判定するための手段と、
下りリンクにおける第１の帯域幅に対応する第１のセットのキャリアで取得信号を送信するための手段と、
第２の帯域幅に対応する第２のセットのキャリアの各々においてパイロットを送信するための手段とを備え、前記第１の帯域幅は、前記第２の帯域幅よりも小さく、前記第１および第２のセットにおける前記キャリアの各々は、等しい帯域幅であり、
前記第２の帯域幅は、前記無線通信ネットワークにおける実質的に全ての使用可能な帯域幅を備える、装置。
【請求項２３】
前記取得情報は、少なくとも１つの放送チャンネルに関する情報を含む、請求項２２の装置。
【請求項２４】
前記取得情報を送信するための手段は、ホップ・シーケンスに少なくとも部分的に基づいて、前記第１のセットのキャリアで前記取得信号を送信するための手段を含む、請求項２２の装置。
【請求項２５】
無線通信システムにおいて取得信号を送信するためのコンピュータ実行可能命令を記憶されたコンピュータ可読記憶媒体であって、前記命令は、
通信のために使用可能な複数のキャリアを判定すること、
取得信号に対する複数のシンボルを生成すること、
下りリンクにおける第１の帯域幅に対応する第１のセットのキャリアで前記取得信号を送信すること、
第２の帯域幅に対応する第２のセットのキャリアの各々においてパイロットを送信することを備え、前記第１の帯域幅は、前記第２の帯域幅よりも小さく、前記第１および第２のセットにおける前記キャリアの各々は、等しい帯域幅であり、
前記第２の帯域幅は、前記無線通信システムにおける実質的に全ての使用可能な帯域幅を備える、コンピュータ可読記憶媒体。
【請求項２６】
複数のシンボルを生成することは、取得情報、および干渉情報の１つ又はそれより多くを備える前記複数のシンボルを生成することを含む、請求項２５のコンピュータ可読媒体。
【請求項２７】
取得信号を送信するためのコンピュータ実行可能命令を実行するプロセッサであって、前記命令は、
第１の取得信号及び第２の取得信号を生成すること、
使用可能なシステム帯域幅の第１の部分に対応する第１のセットのキャリアで前記第１の取得信号を第１のアクセス端末に送信すること、
前記使用可能なシステム帯域幅の第２の部分に対応する第２のセットの連続したキャリアで前記第２の取得信号を第２のアクセス端末に送信すること、
前記使用可能なシステム帯域幅に対応する第３のセットのキャリアの各々においてパイロットを送信することを備え、前記第１、第２、および第３のセットのキャリアにおける前記キャリアの各々は、等しい帯域幅であり、
前記第３のセットのキャリアに対応する前記使用可能なシステム帯域幅は、無線通信ネットワークにおける実質的に全ての使用可能な帯域幅を備える、プロセッサ。
【請求項２８】
前記第１のアクセス端末からの第１のアクセス要求を及び前記第２のアクセス端末からの第２のアクセス要求を受信すること、
前記第１のアクセス要求に少なくとも部分的に基づいて前記第１のアクセス端末をキャリアに割当てること、
前記第２のアクセス要求に少なくとも部分的に基づいて前記第２のアクセス端末を複数のキャリアに割当てることを更に備える、請求項２７のプロセッサ。
【請求項２９】
前記第１のアクセス端末は、該第１のアクセス端末が複数のキャリアで通信できないことを示す前記第１のアクセス要求における情報に基づいて、キャリアに割当てられ、かつ、前記第２のアクセス端末は、該第２のアクセス端末が複数のキャリアで通信できることを示す前記第２のアクセス要求における情報に基づいて、複数のキャリアに割当てられる、請求項２８のプロセッサ。
【請求項３０】
無線通信システムにおいて取得信号を受信するための方法であって、
下りリンクにおける第１の帯域幅に対応する第１のセットのキャリアで送信される取得信号を検知すること、
第２の帯域幅に対応する第２のセットのキャリアの各々において送信されるパイロットを検出することであって、前記第１の帯域幅は、前記第２の帯域幅よりも小さく、前記第１および第２のセットのキャリアにおける前記キャリアの各々は、等しい帯域幅である、検出すること、
前記取得信号に少なくとも部分的に基づいて、情報がアクセスポイントによって通信される将来のキャリアを判定することを備え、
前記第２の帯域幅は、前記無線通信システムにおける実質的に全ての使用可能な帯域幅を備える、方法。
【請求項３１】
前記第１および第２のセットのキャリアにおける前記キャリアの各々は、５ＭＨｚ、または２．５ＭＨｚ、または１．２５ＭＨｚの帯域幅を備える、請求項３０の方法。
【請求項３２】
各キャリアで通信をサポートする制御情報は、前記各キャリアを介して交換される、請求項３０の方法。
【請求項３３】
各キャリアで通信をサポートする制御情報は、指定されたキャリアを介して交換される、請求項３０の方法。
【請求項３４】
前記将来のキャリアを判定することは、ホップ・シーケンスに少なくとも部分的に基づいて、情報が通信される将来のキャリアを判定することを含む、請求項３０の方法。
【請求項３５】
無線通信装置であって、
通信のために使用可能な複数のキャリアに関するデータを記憶するメモリと、
第１の帯域幅に対応する第１のセットのキャリアで下りリンクで送信される取得信号を検出し、第２の帯域幅に対応する第２のセットのキャリアの各々で送信されるパイロットを検出するように構成され、前記第１の帯域幅は前記第２の帯域幅よりも小さく、前記第１および第２のセットのキャリアにおける前記キャリアの各々は、等しい帯域幅であり、前記取得信号に少なくとも部分的に基づいてセクタによって情報が通信される将来のキャリアを判定するように構成されるプロセッサとを備え、
前記第２の帯域幅は、前記複数のキャリアを使用する通信のために前記無線通信装置に使用可能な実質的に全ての帯域幅を備える、無線通信装置。
【請求項３６】
前記プロセッサは、ホップ・シーケンスに少なくとも部分的に基づいて、前記将来のキャリアを判定するように更に構成される、請求項３５の無線通信装置。
【請求項３７】
前記取得信号は、前記セクタのための識別子を含む、請求項３５の無線通信装置。
【請求項３８】
前記セクタのための識別子は、擬似雑音（ＰＮ）シーケンスである、請求項３７の無線通信装置。
【請求項３９】
前記セクタのための識別子は、ウオルシュ・シーケンスである、請求項３７の無線通信装置。
【請求項４０】
無線通信ネットワークにおいて取得信号を受信する装置であって、
第１の帯域幅に対応する第１のセットのキャリアで送信された取得信号を検知するための手段と、
第２の帯域幅に対応する第２のセットのキャリアの各々で送信されるパイロットを検出するための手段であって、前記第１の帯域幅は、前記第２の帯域幅よりも小さく、前記第１および第２のセットのキャリアにおける前記キャリアの各々は、等しい帯域幅である、検出するための手段と、
前記取得信号に少なくとも部分的に基づいて、アクセスポイントとの通信のためのキャリアを判定するための手段とを備え、
前記第２の帯域幅は、前記無線通信ネットワークにおける実質的に全ての使用可能な帯域幅を備える、装置。
【請求項４１】
無線通信システムにおいて取得情報を受信するためのコンピュータ実行可能命令を記憶したコンピュータ可読記憶媒体であって、前記命令は、
第１の帯域幅に対応する第１のセットのキャリアでアクセスポイントによって送信される取得信号を検知すること、
第２の帯域幅に対応する第２のセットのキャリアの各々でアクセスポイントによって送信されたパイロットを検出することであって、前記第１の帯域幅は、前記第２の帯域幅よりも小さく、前記第１および第２のセットのキャリアにおける前記キャリアの各々は、等しい帯域幅である、検出すること、
前記取得信号に少なくとも部分的に基づいて、前記アクセスポイントとの通信のためのキャリアを判定することを備え、
前記第２の帯域幅は、前記無線通信システムにおける実質的に全ての使用可能な帯域幅を備える、コンピュータ可読記憶媒体。
【請求項４２】
無線通信システムにおいて取得信号を受信するためのコンピュータ実行可能命令を実行するプロセスであって、前記命令は、
第１の帯域幅に対応する第１のセットのキャリアで前記無線通信システムのセクタから送信される取得信号を受信すること、
第２の帯域幅に対応する第２のセットのキャリアで前記無線通信システムの前記セクタから送信されるパイロットを受信することであって、前記第１の帯域幅は、前記第２の帯域幅よりも小さく、前記第１および第２のセットのキャリアにおける前記キャリアの各々は、等しい帯域幅である、受信すること、
前記取得信号に少なくとも部分的に基づいて、前記セクタとの通信のための１つの又はそれより多いキャリアを判定すること、
前記通信のために判定された１つの又はそれより多いキャリアを用いることに少なくとも部分的により、前記セクタと通信することを備え、
前記第２の帯域幅は、前記無線通信システムの前記セクタにおける実質的に全ての使用可能な帯域幅を備える、プロセッサ。
【請求項４３】
前記セクタと通信することは、
前記通信のために判定された１つの又はそれより多いキャリアで前記セクタにアクセス要求を送信すること、
アクセス許可及び通信のための少なくとも１つの新しく割当てられるキャリアを前記セクタから受信すること、
前記少なくとも１つの新しく割当てられるキャリアを用いて前記セクタと通信することを含む、請求項４２のプロセッサ。
【手続補正２】
【補正対象書類名】明細書
【補正対象項目名】００９３
【補正方法】変更
【補正の内容】
【００９３】
上述されたことは、１つの又はそれより多い実施の形態の実例を含む。もちろん、上記の実施の形態を記述する目的のためにコンピーネント又は方法のあらゆる考えられうる組み合わせを記述することは可能ではないが、当業者は、種々の実施の形態の他の多くの組み合わせ及び順列が可能であることを認めることができる。従って、記述された実施の形態は、添付請求項の精神及び範囲に入る全ての変更、修正及び変形を包含することを意図されている。更に、「含む」という用語が詳細な説明又は請求項で用いられている限り、この用語は、請求項において移行語として用いられる場合には、「備える」という用語が解釈されるのと同様に包括的であると意図される。更に、詳細な説明又は請求項で用いられる「又は」（“or”）という用語は、「非排他的ＯＲ」（“non-exclusive or“）という意味である。
以下に、出願当初の特許請求の範囲に記載された発明を付記する。
［請求項１］
取得信号の複数のシンボルを生成すること、
前記取得信号の送信を、１つの又はそれより多いキャリアの帯域幅の全て又は全てより少ないに等しいサブキャリアのある数に割当てることを備える、無線通信システムにおいて取得情報を生成しかつ送信するための方法。
［請求項２］
前記１つの又はそれより多いキャリアは、複数のキャリアから選択され、かつ該複数のキャリアは、帯域幅の実質的に非重複の部分に対応する、請求項１の方法。
［請求項３］
前記複数のキャリアは、前記無線通信システムにおける実質的に全ての使用可能な帯域幅を備える、請求項２の方法。
［請求項４］
前記複数のキャリアは、前記無線通信システムのセクタにおける実質的に全ての使用可能な帯域幅を備える、請求項２の方法。
［請求項５］
前記１つの又はそれより多いキャリアのそれぞれは、５１２のサブキャリア及び５ＭＨｚの帯域幅を備える、請求項２の方法。
［請求項６］
前記１つの又はそれより多いキャリアは、２５６のサブキャリア及び２．５ＭＨｚの帯域幅を備える、請求項２の方法。
［請求項７］
前記１つの又はそれより多いキャリアは、１２８のサブキャリア及び１．２５ＭＨｚの帯域幅を備える、請求項２の方法。
［請求項８］
前記複数のキャリアは、７つの利用されるキャリア及び１つの利用されないキャリアであり、前記取得信号の送信を割当てることは、前記７つの利用されるキャリアに対する予め定められた周波数再使用プランに従って前記７つの利用されるキャリアの１つにおけるサブキャリアの全て又は全てより少ないサブキャリアに前記取得信号の送信を割当てることを含む、請求項２の方法。
［請求項９］
前記複数のキャリアは７つのキャリアであり、前記取得信号の送信を割当てることは、前記７つのキャリアに対する予め定められた周波数再使用プランに従って前記７つのキャリアの１つにおける前記サブキャリアの全て又は全てより少ないサブキャリアに前記取得信号の送信を割当てることを含む、請求項２の方法。
［請求項１０］
前記取得信号は、少なくとも１つの放送チャンネルに関する情報を含む、請求項１の方法。
［請求項１１］
前記取得信号の送信を割当てることは、ホップ・シーケンスに少なくとも部分的に基づいて、ある数のサブキャリアに前記取得信号の送信を割当てることを含む、請求項１の方法。
［請求項１２］
前記取得信号を前記割当てられたキャリアでアクセス端末に送信することを更に備える、請求項１の方法。
［請求項１３］
前記取得信号の送信を割当てることは、前記取得信号をスーパーフレーム・プリアンブルで送信することを含む、請求項１２の方法。
［請求項１４］
前記アクセス端末との通信のために用いられるべき１つの又はそれより多いキャリアをスケジュールすること、
前記スケジュールされたキャリアの１つ又はそれより多くを用いて前記アクセス端末と通信することを更に備える、請求項１２の方法。
［請求項１５］
前記１つの又はそれより多いキャリアをスケジュールすることは、
前記アクセス端末からアクセス要求を受信すること、
前記アクセス要求に少なくとも部分的に基づいて、前記アクセス端末との通信のために１つの又はそれより多いキャリアをスケジュールすること、
前記１つの又はそれより多いスケジュールされたキャリアに対する割当てを前記アクセス端末に送信することを含む、請求項１４の方法。
［請求項１６］
前記アクセス端末から受信される前記アクセス要求は、前記アクセス端末が１つよい多いキャリアで通信できるかどうかの表示を含む、請求項１５の方法。
［請求項１７］
前記１つの又はそれより多いキャリアをスケジュールすることは、前記表示が負であれば前記アクセス端末との通信のための１つのキャリアをスケジュールし、前記表示が正であれば前記アクセス端末との通信のための複数のキャリアをスケジュールすることを含む、請求項１６の方法。
［請求項１８］
前記アクセス端末との通信のための第２の組の１つの又はそれより多いキャリアをスケジュールすること、
前記アクセス端末との通信のための前記第２の組の１つの又はそれより多いキャリアに対する割当てを含みチェンジ・キャリア・メッセージを前記アクセス端末に送信すること、
前記第２の組のキャリアからの１つの又はそれより多いスケジュールされたキャリアを用いて前記アクセス端末と通信することを更に備える、請求項１５の方法。
［請求項１９］
取得信号及び使用可能なシステム帯域幅の実質的に非重複の部分に対応する複数のキャリアに関するデータを記憶するメモリと、
前記取得信号の送信を前記複数のキャリアの１つ又はそより多くの全て又は一部に割当てるように構成されたプロセッサとを備える、無線通信装置。
［請求項２０］
前記メモリは、識別コードに関するデータを更に記憶し、前記プロセッサは、前記識別コードの関数に少なくとも部分的に基づいて前記取得信号の送信を割当てるように更に構成される、請求項１９の無線通信装置。
［請求項２１］
前記識別コードは擬似雑音（ＰＮ）シーケンスである、請求項２０の無線通信装置。
［請求項２２］
前記識別コードは、ウオルシュ・シーケンスである、請求項２０の無線通信装置。
［請求項２３］
使用可能なシステム帯域幅を複数のキャリアに分割するための手段と、
前記複数のキャリアの１つ又はそれより多くを用いて、取得情報を端末に送信するための手段とを備える、無線通信ネットワークにおける信号取得を容易にする装置。
［請求項２４］
前記取得情報は、少なくとも１つの放送チャンネルに関する情報を含む、請求項２３の装置。
［請求項２５］
前記取得情報を送信するための手段は、前記複数のキャリアの１つ又はそれより多くのそれぞれに対するホップ・シーケンスに少なくとも部分的に基づいて、前記複数のキャリアの１つ又はそれより多くに前記取得情報の送信を割当てるための手段を含む、請求項２３の装置。
［請求項２６］
無線通信環境において取得のための情報を生成しかつ送信するためのコンピュータ実行可能命令を記憶されたコンピュータ可読媒体であって、前記命令は、
使用可能なシステム帯域幅を、それぞれ複数のサブキャリア及び前記システム帯域幅の一部に等しい帯域幅を備える複数のキャリアに分割すること、
取得信号に対する複数のシンボルを生成すること、
前記複数のキャリアの少なくとも１つにおける１つの又はそれより多いサブキャリアのある数で前記取得信号を送信することを備える、コンピュータ可読媒体。
［請求項２７］
前記複数のシンボルを生成することは、取得情報、干渉情報、及びパイロットの１つ又はそれより多くを含む、請求項２６のコンピュータ可読媒体。
［請求項２８］
取得情報を送信するためのコンピュータ実行可能命令を実行するプロセッサであって、前記命令は、
第１の取得信号及び第２の取得信号を生成すること、
使用可能なシステム帯域幅の一部を備えるキャリアで前記第１の取得信号を第１のアクセス端末に送信すること、
使用可能なシステム帯域幅の一部を備えるキャリアで前記第２の取得信号を第２のアクセス端末に送信することを備える、プロセセッサ。
［請求項２９］
前記第１のアクセス端末からの第１のアクセス要求を及び前記第２のアクセス端末からの第２のアクセス要求を受信すること、
前記第１のアクセス要求に少なくとも部分的に基づいて前記第１のアクセス端末をキャリアに割当てること、
前記第２のアクセス要求に少なくとも部分的に基づいて前記第２のアクセス端末を複数のキャリアに割当てることを更に備える、請求項２６のプロセッサ。
［請求項３０］
前記第１のアクセス端末は、該第１のアクセス端末が複数のキャリアで通信できないことを示す前記第１のアクセス要求における情報に基づいて、キャリアに割当てられ、かつ、前記第２のアクセス端末は、該第２のアクセス端末が複数のキャリアで通信できることを示す前記第２のアクセス要求における情報に基づいて、複数のキャリアに割当てられる、請求項２９のプロセッサ。
［請求項３１］
無線通信システムにおける通信のための情報を取得するための方法であって、
それぞれ１つの又はそれより多いサブキャリア及び使用可能なシステム帯域幅の一部を備える少なくとも２つのキャリアで取得信号を検知することを試みること、
前記取得信号が検知されるキャリアに少なくとも部分的に基づいて、情報がアクセスポイントによって通信される将来のキャリアを判定することを備える、方法。
［請求項３２］
各キャリアは、５１２のサブキャリア及び５ＭＨｚの帯域幅を備える、請求項３１の方法。
［請求項３３］
各キャリアは、２５６のサブキャリア及び２．５ＭＨｚの帯域幅を備える、請求項３１の方法。
［請求項３４］
各キャリアは、１２８のサブキャリア及び１．２５ＭＨｚの帯域幅を備える、請求項３１の方法。
［請求項３５］
前記将来のキャリアを判定することは、ホップ・シーケンスに少なくとも部分的に基づいて、情報が通信される将来のキャリアを判定することを含む、請求項３１の方法。
［請求項３６］
複数のキャリアに関するデータを記憶するメモリと、
前記複数のキャリアでの取得信号の検知を試みるようにそして前記取得信号が検知されるキャリアに少なくとも部分的に基づいて、セクタによって情報が通信される将来のキャリアを判定するように構成されるプロセッサとを備える、無線通信装置。
［請求項３７］
前記プロセッサは、ホップ・シーケンスに少なくとも部分的に基づいて、将来のキャリアを判定するように更に構成される、請求項３６の無線通信装置。
［請求項３８］
前記取得信号は、前記セクタのための識別子を含み、かつ前記ホップ・シーケンスは、前記セクタのための識別子の関数である、請求項３７の無線通信装置。
［請求項３９］
前記セクタのための識別子は、擬似雑音（ＰＮ）シーケンスである、請求項３８の無線通信装置。
［請求項４０］
前記セクタのための識別子は、ウオルシュ・シーケンスである、請求項３８の無線通信装置。
［請求項４１］
複数のキャリアに対応するシステム帯域幅で取得信号を検知するための手段と、
前記取得信号が検知されるキャリアに少なくとも部分的に基づいて、アクセスポイントとの通信のためのキャリアを判定するための手段とを備える、無線通信ネットワークにおける信号取得を容易にする装置。
［請求項４２］
無線通信環境における通信のための情報を取得するためのコンピュータ実行可能命令を記憶したコンピュータ可読媒体であって、前記命令は、
少なくとも２つのキャリアに等しい帯域幅にわたってアクセスポイントによって送信される取得信号を検知すること、
前記取得信号に少なくとも部分的に基づいて、前記アクセスポイントとの通信のためのキャリアを判定することを備える、コンピュータ可読媒体。
［請求項４３］
無線通信システムにおいて通信するためのコンピュータ実行可能命令を実行するプロセスであって、前記命令は、
前記無線通信システムのセクタから送信される信号を受信すること、
前記取得信号が受信されたキャリアに少なくとも部分的に基づいて、前記セクタとの通信のための１つの又はそれより多いキャリアを判定すること、
前記通信のために判定された１つの又はそれより多いキャリアを用いることに少なくとも部分的により、前記セクタと通信することを備える、プロセッサ。
［請求項４４］
前記セクタと通信することは、
前記通信のために判定された１つの又はそれより多いキャリアで前記セクタにアクセス要求を送信すること、
アクセス許可及び通信のための少なくとも１つの新しく割当てられるキャリアを前記セクタから受信すること、
通信のための前記新しく割当てられるセクタの少なくとも１つを用いて前記セクタと通信することを含む、請求項４３のプロセッサ。